(57)【特許請求の範囲】
【請求項１】
合成樹脂製のロータンクの側面の上部に電動ハンドル装置を設置した構造であって、
該電動ハンドル装置は、ロータンクの弁を引き上げるように先端側が曲っているスピンドルと、該スピンドルを支持すると共にスピンドルの電動回転装置を内蔵したハウジングとを有し、該ハウジングの下方と両側方に延出するフランジを備えたものであり、
該ロータンクの側面の上縁から前記ハウジングを装着するための切欠状の装着部が形成されており、
該装着部の底辺部と両側面部には、前記フランジが係合した溝が設けられているロータンクの電動ハンドル装置の設置構造において、
該溝内の水をロータンク内に流出させる流出口が該装着部の底辺部に設けられていることを特徴とするロータンクの電動ハンドル装置の設置構造。
【請求項２】
請求項１において、該装着部の底辺の溝に、段部と、該段部よりも下方に凹陥する水路とが設けられており、
前記フランジは該段部に係止されており、
前記流出口は該水路に連通していることを特徴とするロータンクの電動ハンドル装置の設置構造。
【請求項３】
請求項１又は２において、該流出口は、水抜き孔又は切欠状の水抜き部であることを特徴とするロータンクの電動ハンドル装置の設置構造。
【発明の詳細な説明】
【０００１】
【発明の属する技術分野】
本発明は、便器に洗浄水を供給するためのロータンクのハンドル装置をロータンクに設置した構造に係り、特にスイッチ操作によりロータンクからの水流出を開始できるよう構成した電動式のロータンクのハンドル装置をロータンクに設置した構造に関する。さらに詳しくは、ロータンクが合成樹脂製であり、このロータンクを覆うようにロータンクカバーが装着される場合に好適なハンドル装置の設置構造に関する。
【０００２】
【従来の技術】
電動式のハンドル装置をロータンクに設置する場合、特開平１１−２００４５２号公報のように、ハンドル装置のハウジングから突設されたねじ付きカラムをロータンクのハンドル取付口に挿入し、ナット締めしているが、ナットを何回も回して締め込まなければならず、手間がかかる。
【０００３】
ところで、近年、陶器製のロータンクの代わりに合成樹脂製のロータンクと、このロータンクを覆う合成樹脂製のタンクカバーとを備えた「コンソール型」等と称されるタイプの洋風便器が用いられるようになりつつある。
【０００４】
このようなコンソール型洋風便器の合成樹脂製のロータンクに対して比較的容易にハンドル装置を設置できる構造が特開平１１−２００４５３号公報に記載されている。
【０００５】
第４図は同号公報の実施の形態に係るロータンクのハンドル装置の取り付け構造を示す縦断面図、第５図はこのハンドル装置のハウジング内部の構成図、第６，７，８図はハンドル装置の取り付け構造を示す分解斜視図である。
【０００６】
合成樹脂製ロータンク（インナータンク）１０の側壁面に開口１０ａが設けられ、この開口１０ａに合成樹脂製スペーサ１１を介してハウジングカバー１４のねじ付カラム１４ａが挿通される。
【０００７】
このハウジングカバー１４とハウジングベース１６とを対面させ、ビス１５によって連結することによりハウジング１２が構成されている。両者の間にはパッキン１７が介在されている。
【０００８】
このハウジング１２の下部の外側が断熱材１８によって囲まれている。なお、第６〜８図では、図面を明瞭とするためにこの断熱材１８は図示を省略してある。
【０００９】
このハウジング１２はロータンク１０内に設置され、ねじ付カラム１４ａの先端がロータンク１０を通ってタンクカバー１３０の外部に突出している。このねじ付カラム１４ａの先端にストッパリングとしてのＣリング８４が係着され、該Ｃリング８４がタンクカバー１３０の外面に係止されている。
【００１０】
ハウジングベース１６上にモータ２０が取り付けられ、モータ２０の駆動軸に固着されたウォーム２２がウォームホィール２４と噛合している。ウォームホィール２４と一体のピニオン２６が枢軸２８，２９を介してハウジング１２に枢支されている。このピニオン２６は、全周が歯となっているインターギヤ３０の該歯と噛合している。該インターギヤ３０及びそれと一体の駆動側欠歯ギヤ３２が、枢軸３４，３５によってハウジング１２に枢支されている。
【００１１】
駆動側欠歯ギヤ３２の歯と噛合可能な歯を外周の一部に有している従動側欠歯ギヤ３６にスピンドル４４が挿通されている。
【００１２】
スピンドル４４は、その先端側が前記ねじ付カラム１４ａを通ってタンクカバー１３０外に突出し、ハンドル５０のボス部５０ａが装着されている。スピンドル４４の後端側は、欠歯ギヤ３６を貫通し、ハウジングベース１６から突出している。このハウジングベース１６とスピンドル４４との間にはリップシール４８が設けられている。スピンドル４４の後端はＬ形に折曲し、その最先部にフロート弁引上用のチェーン等の線状体が連結される。
【００１３】
第５図に示される通り、前記インターギヤ３０の裏面にカム５２が設けられている。このカム５２は、リング形状のものであり、外周面の一部に凹部５４が設けられている。このカム５２によって接点が接触又は離反されるスイッチ５６が前記ハウジングベース１６に取り付けられている。第５図の如く、凹部５４がスイッチ５６に対面しているときには、該スイッチ５６の接点は離反している。凹部５４がスイッチ５６から離れていくと、該スイッチ５６の接点が接触し、スイッチオンの状態となる。
【００１４】
このスイッチ５６及びモータ２０に接続されたハーネス５８が、ハウジングカバー１４の開口６０を通ってハウジング外部に引き出されている。
【００１５】
開口６０は樹脂モールドされて封じられている。前記ねじ付カラム１４ａの下面側に該カラム１４ａの長手方向に溝６２が延設され、この溝６２にハーネス５８が引き通されている。このハーネス５８は、ロータンク１０外に引き出され、且つこのロータンク１０とタンクカバー１３０との間を引き回され、該ハーネス５８の先端に設けられたコネクタを介してタンクカバー１３０内の制御回路基板（図示略）に接続されている。
【００１６】
次に、カラム１４ａを介してハウジング１２をロータンク１０及びタンクカバー１３０（カバーリヤ１４０）に固定する構造の詳細を第６図を参照して説明する。
【００１７】
前記の通り、ロータンク１０の側壁面に開口１０ａが設けられている。このロータンク１０を囲むタンクカバー１３０には、この開口１０ａと対面する位置に開口１３１が設けられている。これらの開口１０ａ、１３１はいずれも方形状である。なお、開口１０ａの下縁にはハーネス５８を通すための切欠状部が設けられている。
【００１８】
ロータンク１０の開口１０ａの４コーナー部近傍に４個の凸部１０ｂが設けられている。これらの凸部１０ｂは、その先端がタンクカバー１３０の内面に当接し、ロータンク１０とタンクカバー１３０との間に一定寸法（凸部１０ｂの高さ分）の間隙をあけるためのものである。
【００１９】
前記スペーサ１１は、カラム１４を通すための開口１１ａを有する。また、この開口１１ａの周囲４等分位置にそれぞれ突起１１ｂが設けられている。これらの突起１１ｂはロータンクの開口１０ａの４コーナー部に入り込み、スペーサ１１の回り止めを行うためのものである。
【００２０】
このスペーサ１１は、開口１１ａの上側よりも下側の長さ（上下方向長さ）が大である。これは、スピンドル４４が弁引き上げ動作する際のトルクに対抗するためである。
【００２１】
ハウジング１２の取り付けに際しては、まずねじ付カラム１４ａの溝６２にハーネス５８を押し込む。そして、ハーネス５８の先端側をスペーサ１１の開口１１ａに通し、次いでこのねじ付カラム１４ａの基端側までスペーサ１１を差し込んでおく。次に、このねじ付カラム１４ａの先端側をロータンク１０の開口１０ａとタンクカバー１３０の開口１３１にロータンク１０の内部側から外方に向って挿入し、ねじ付カラム１４ａの先端側をタンクカバー１３０の外部に突出させる。ハーネス５８はロータンク１０とタンクカバー１３０との間を引き回す。
【００２２】
このねじ付カラム１４ａの先端側に取付リング７０を嵌合させる。この取付リング７０は、ロータンク１０の外面に重なるリング形状のものである。
【００２３】
この取付リング７０には、開口１３１に入り込む４個の爪状の突起（以下、爪という。）７２が該リング７０の内孔周縁部から突設されている。この４個の爪７２が開口１３１の４隅に入り込むことにより取付リング７０がタンクカバー１３１に対しねじ付カラム１４ａの軸心回りに回転不能に係合することになる。
【００２４】
この取付リング７０の内孔には直線状の弦方向部７４が設けられており、ねじ付カラム１４ａの先端側に切欠状に設けられた弦方向部８０が該弦方向部７４と係合する。前記の通り、爪７２が正方形の開口１３１の４隅に係合して取付リング７０の回転が阻止されているところから、これら弦方向部７４、８０の係合によりねじ付カラム１４ａ及びそれと一体のハウジング１２の回転も阻止される。
【００２５】
開口１０ａ，１３１に挿通されたねじ付カラム１４ａに対し、このように取付リング７０を嵌合させた後、Ｃリング８４をねじ付カラム１４ａのネック部８２に係合させる。このネック部８２は、ねじ付カラム１４ａの先端側に周設された溝よりなるものである。第１図の如く、このＣリング８４をネック部８２に係合させることにより取付リング７０の抜けが阻止される。そして、前記スペーサ１１と取付リング７０とでロータンク１０及びタンクカバー１３０を強く挟持する。これにより、ハンドル装置がロータンク１０及びタンクカバー１３０に対し堅固に固定される。
【００２６】
このように構成されたハンドル装置において、ロータンク１０内に水が貯められている状態にあっては、スピンドル４４の後端は下方を向いており、フロート弁はロータンク１０の底部の流出口を塞いでいる。この状態で、ハンドル５０を手で回すか、又は押しボタンスイッチを操作してモータ２０を作動させると、スピンドル４４が回転し、フロート弁が引き上げられ、ロータンクから水が流出する。ハンドル５０から手を離すと、スピンドル４４は元の姿勢に戻り、止水される。
【００２７】
なお、押しボタンスイッチを押してモータ２０を回転させた場合、ウォームホィール２４、ピニオン２６、インターギヤ３０、駆動側欠歯ギヤ３２の順に回転動力が伝達され、欠歯ギヤ３２の歯が従動側欠歯ギヤ３６の歯と噛み合う。この場合、インターギヤ３０が少しでも回転すると、凹部５４がスイッチ５６から離れてゆき、接点が接触する。従って、押しボタンスイッチから手を離しても、スイッチ５６を介して電源からモータ２０に給電され、モータ２０の回転が継続される。
【００２８】
モータ２０の回転継続に伴って、欠歯ギヤ３２、３６同志が噛合し、欠歯ギヤ３６が回転する。欠歯ギヤ３６の回転に伴って、スピンドル４４が回転し、ロータンク１０から水が便器に向って放出される。
【００２９】
モータ２０の回転が継続し、欠歯ギヤ３６がさらに時計回り方向に回転され、欠歯ギヤ３６の歯列の最後尾側が駆動側欠歯ギヤ３２の歯に係合するようになると、従動側欠歯ギヤ３６はもはやそれ以上の回転を行ない得ない状態となり、スピンドル４４は約９０°回転された状態にしばらく保持される。
【００３０】
モータ２０及び欠歯ギヤ３２は、さらに回転を継続し、遂には、欠歯ギヤ３２の歯列の最後尾が欠歯ギヤ３６の歯列の最後尾から離れ、従動側欠歯ギヤ３６が駆動側欠歯ギヤ３２から自由になり、自由回転可能となる。このため、欠歯ギヤ３２、３６の歯列の噛合が解除されると、スピンドル４４は第４図に示す後端部が垂下した状態に復帰する。
【００３１】
このロータンクのハンドル装置においては、ハウジング１２がロータンク１０内に配置され、ハーネス５８がタンクカバー１３０の内側に配置されているため、見栄えが良く、悪戯も受けることが無い。
【００３２】
【発明が解決しようとする課題】
第４〜８図の構造にあっては、カラム１４ａを開口１０ａ、１３１に通しＣリング８４を装着するだけでハンドル装置を取り付けることができ、ハンドル装置の取り付けがきわめて簡単である。
【００３３】
しかしながら、ロータンク１０の外側にロータンクカバー１３０を設置してからでないとハンドル装置の設置ができいないという不便がある。
【００３４】
本発明は、ロータンクにきわめて容易に設置することができるハンドル装置と、このハンドル装置のロータンクへの設置構造を提供することを目的とする。
【００３６】
本発明のハンドル装置の設置構造は、合成樹脂製のロータンクの側面の上部に電動ハンドル装置を設置した構造であって、該電動ハンドル装置は、ロータンクの弁を引き上げるように先端側が曲っているスピンドルと、該スピンドルを支持すると共にスピンドルの電動回転装置を内蔵したハウジングとを有し、該ハウジングの下方と両側方に延出するフランジを備えたものであり、該ロータンクの側面の上縁から前記ハウジングを装着するための切欠状の装着部が形成されており、該装着部の底辺部と両側面部には、前記フランジが係合した溝が設けられているロータンクの電動ハンドル装置の設置構造において、該溝内の水をロータンク内に流出させる流出口が該装着部の底辺部に設けられていることを特徴とするものである。
【００３７】
かかるハンドル装置の設置構造にあっては、ハンドル装置のフランジを装着部の溝に落し込むように嵌め入れることによりハンドル装置をロータンクに固定でき、ハンドル装置の設置が設置がきわめて簡単である。
【００３８】
この場合、溝内の水をロータンク内に流出させるための孔又は切欠状の流出口を溝底辺部に設けるのが好ましい。このようにすれば、パッキン等を用いることなく、ロータンク内の水が装着部からロータンク外に流出することが防止される。
【００３９】
さらに、この場合、該装着部の底辺の溝に、段部と、該段部よりも下方に凹陥する水路とが設けられており、前記フランジは該段部に係止されており、前記流出口は該水路に連通している構成とすることが好ましい。この構成であれば、溝内の水をきわめてスムーズにロータンク内に排出することができる。
【００４０】
【発明の実施の形態】
以下、第１図〜第３図を参照して実施の形態について説明する。合成樹脂製のロータンク４の上縁からハンドル装置１の装着口５が切欠状に形成されている。この装着部５は略方形であり、１対の側辺と底辺とを有している。この装着口５の双方の側辺と底辺とには、１対の内フラップ５ａ及び外フラップ５ｂが設けられ、両フラップ５ａ，５ｂ間に溝６が形成されている。
【００４１】
ハンドル装置１は、ハウジング２と、このハウジング２から延出したスピンドル３とを備えており、このハウジング２内にスピンドル３を回転させる電動回転装置が内蔵されている。この電動回転装置の構成は、例えば前記第４〜８図の従来装置と同様のものとされるが、これ以外のものであってもよい。本実施の形態では、スピンドルは電動回転装置によってのみ回転するものとなっているが、前記第４〜８図と同様にスピンドルは手動及び電動のいずれでも回し得るものとされてもよい。
【００４２】
このハウジング２は略直方体形状の箱状のものであり、その後面（スピンドル３の突出方向と反対の面）の１対の側辺と底辺とからはみ出すようにフランジ２ａが設けられている。このフランジ２ａが前記溝６に上方から落し込まれるようにして挿入され、これによりハンドル装置１がロータンク４に装着される。
【００４３】
このように、この実施の形態によるとハンドル装置１のロータンク４への装着がきわめて簡単である。コンソール型洋風便器の場合、このロータンク４に覆い被さるようにタンクカバー８が設置されるが、この実施の形態にあっては、タンクカバー８を被せる前にハンドル装置１を装着でき、装着作業がきわめて簡単である。
【００４４】
この実施の形態にあっては、第２，３図の通り、装着口５の底辺の溝６にあっては、溝６の底面の溝幅方向の中央に細溝状の水路６ｂが形成され、この水路６ｂの両側が段部６ａとなっている。フランジ２ａはこの段部６ａに載るように溝６に装着される。この水路６ｂ内の水をロータンク４内に排出するように水抜き孔７が設けられている。なお、水抜き孔７の代わりに切欠状の水抜き部を設けてもよい。
【００４５】
ロータンク４の内側からハンドル装置１に水がかかり、この水がフランジ２ａを伝わって溝６内に侵入した場合、この水は溝６内を伝わり落ちて水路６ｂに入り水抜き孔７からロータンク４内に戻される。従って、フランジ２ａにパッキンを設けたり、ハンドル装置の装着後に防水シールテープを貼ったりすることは不要である。ただし、このようなパッキンや防水シールを設けてもよい。
【００４６】
また、フラップ５ａ，５ｂ及びフランジ２ａを貫くようにビスを打ってハンドル装置１を固定してもよい。
【００４７】
【発明の効果】
以上の通り、本発明によると、ハンドル装置をきわめて簡単にロータンクに装着することができる。
【図面の簡単な説明】
【図１】実施の形態に係るロータンクの電動ハンドル装置示す斜視図である。
【図２】実施の形態に係るロータンクの電動ハンドル装置を示す断面図である。
【図３】実施の形態に係るロータンクの電動ハンドル装置を示す断面図である。
【図４】従来例を示す断面図である。
【図５】従来例に係るロータンクのハンドル装置のハウジング内部の構成図である。
【図６】従来例を示す分解斜視図である。
【図７】従来例を示す分解斜視図である。
【図８】従来例を示す分解斜視図である。
【符号の説明】
１  ハンドル装置
２  ハウジング
２ａ  フランジ
３  水路
４  ロータンク
５  装着口
５ａ  内フラップ
５ｂ  外フラップ
６  溝
６ａ  段部
６ｂ  水路
７  水抜き孔
８  タンクカバー
１０  ロータンク
１１  スペーサ
１１ａ  開口
１１ｂ  突起
１２  ハウジング
１４  ハウジングカバー
１４ａ  ねじ付カラム
１６  ハウジングベース
１８  断熱材
２０  モータ
４４  スピンドル
５０  ハンドル
５８  ハーネス
６２  溝
７０  取付用リング
８４  Ｃリング
１３０  タンクカバー
【図１】
0003760737.tif 000002
【図２】
0003760737.tif 000003
【図３】
0003760737.tif 000004
【図４】
0003760737.tif 000005
【図５】
0003760737.tif 000006
【図６】
0003760737.tif 000007
【図７】
0003760737.tif 000008
【図８】
0003760737.tif 000009